(57)【要約】【課題】操作が簡単でありかつ適切な露出制御を行うことができるカメラを提供する。【解決手段】入射光の輝度を複数の色成分毎にそれぞれ測定する測光部１と、測光部１が出力する複数の色成分毎の測光データに基づいて露出制御値を生成する露出制御部３とを備えるカメラを、付属品９の装着状態を検出する付属品検出部８を備え、露出制御部３は、付属品検出部８の出力に応じて複数の色成分毎の測光データの重み付けを変化させて露出制御値を生成する構成とする。【選択図】図１
2007017573.tif 000002
【特許請求の範囲】
【請求項１】
入射光の輝度を複数の色成分毎にそれぞれ測定する測光部と、
前記測光部が出力する前記複数の色成分毎の測光データに基づいて露出制御値を生成する露出制御部とを備えるカメラにおいて、
付属品の装着状態を検出する付属品検出部を備え、
前記露出制御部は、前記付属品検出部の出力に応じて前記複数の色成分毎の測光データの重み付けを変化させて前記露出制御値を生成すること
を特徴とするカメラ。
【請求項２】
請求項１に記載のカメラにおいて、
前記付属品は、撮影用光学系又は前記撮影用光学系と前記カメラとを接続する接続部材であり、
前記露出制御部は、前記付属品検出部が検出した前記撮影用光学系又は前記接続部材の種類に応じて前記複数の色成分毎の測光データの重み付けを変化させること
を特徴とするカメラ。
【請求項３】
請求項１又は請求項２に記載のカメラにおいて、
撮影された画像の画像データを、その前記露出制御値の生成に用いた前記複数の色成分毎の測光データの重み付けに関する情報を含む測光色モード情報とともに記憶する画像データ記憶部を備えること
を特徴とするカメラ。
【請求項４】
請求項１から請求項３までのいずれか１項に記載のカメラにおいて、
前記複数の色成分毎の測光データの重み付けの変化に応じて、前記画像データに対して異なった画像処理を行う画像処理部を備えること
を特徴とするカメラ。
【発明の詳細な説明】
【技術分野】
【０００１】
本発明は、入射光の輝度を複数の色成分毎に測光して露出制御値を生成するカメラに関するものである。
【背景技術】
【０００２】
カメラは、色感度特性の異なった複数の受光素子を備え、各受光素子の出力に対してユーザが選択した所定の重み付け処理を行うことによって露出制御値を算出するものが知られている（例えば、特許文献１を参照）。
【０００３】
複数の色成分毎に測光を行うカメラは、例えば、Ｒ（赤）、Ｇ（緑）、Ｂ（青）の三色に分けて測光を行い、風景等の通常の被写体を撮影する際は、緑の成分に重みをおいて露出制御を行うことが考えられるが、この場合、例えば顕微鏡によって撮影される着色済み試料のように赤系や青系の被写体を測光した場合には、暗い被写体であると誤認して露出がアンダー傾向にずれるおそれがある。
このため、このようなカメラは、良好な露出制御を行うため、ユーザが随時適切な重み付け処理を選択する必要があり操作が煩雑であった。
【特許文献１】特開平３−１５７２６号公報
【発明の開示】
【発明が解決しようとする課題】
【０００４】
本発明の課題は、操作が簡単でありかつ適切な露出制御を行うことができるカメラを提供することである。
【課題を解決するための手段】
【０００５】
本発明は、以下のような解決手段により、前記課題を解決する。
請求項１の発明は、入射光の輝度を複数の色成分毎にそれぞれ測定する測光部と、前記測光部が出力する前記複数の色成分毎の測光データに基づいて露出制御値を生成する露出制御部とを備えるカメラにおいて、付属品の装着状態を検出する付属品検出部を備え、前記露出制御部は、前記付属品検出部の出力に応じて前記複数の色成分毎の測光データの重み付けを変化させて前記露出制御値を生成することを特徴とするカメラである。
【０００６】
請求項２の発明は、請求項１に記載のカメラにおいて、前記付属品は、撮影用光学系又は前記撮影用光学系と前記カメラとを接続する接続部材であり、前記露出制御部は、前記付属品検出部が検出した前記撮影用光学系又は前記接続部材の種類に応じて前記複数の色成分毎の測光データの重み付けを変化させることを特徴とするカメラである。
請求項３の発明は、請求項１又は請求項２に記載のカメラにおいて、撮影された画像の画像データを、その前記露出制御値の生成に用いた前記複数の色成分毎の測光データの重み付けに関する情報を含む測光色モード情報とともに記憶する画像データ記憶部を備えることを特徴とするカメラである。
請求項４の発明は、請求項１から請求項３までのいずれか１項に記載のカメラにおいて、前記複数の色成分毎の測光データの重み付けの変化に応じて、前記画像データに対して異なった画像処理を行う画像処理部を備えることを特徴とするカメラである。
【発明の効果】
【０００７】
本発明によれば、付属品の装着状態に応じて、複数の色成分の測光データの重み付けを変化させて露出制御値を生成しているから、特有の色傾向を有する被写体を撮影する際に用いられる付属品が装着された場合に、自動的にこの色傾向に適合した露出制御を行うことができ、煩雑な操作をすることなく良好な露出制御を行うことができる。
【発明を実施するための最良の形態】
【０００８】
本発明は、操作が簡単でありかつ適切な露出制御を行うことができるカメラを提供するという目的を、装着レンズの種類を検出し、その検出結果に応じてＲＧＢ各色成分の測光データの重み付けを異ならせて露出制御値を算出するカメラによって実現した。
【実施例】
【０００９】
以下、本発明を適用したカメラの実施例について説明する。本実施例のカメラは、例えば、レンズ交換式のデジタルスチルカメラである。
図１は、本実施例のカメラの構成を示すブロック図である。
【００１０】
カメラは、測光ＣＣＤセンサ１、Ａ／Ｄ変換部２、露出制御値演算部３、情報管理部４、測光色モード設定部５、測光モード設定部６、レリーズスイッチ７、レンズ通信部８、撮影レンズ９、撮影制御部１０、絞り１１、シャッタ１２、撮像素子１３、画像処理部１４、画像記録部１５、メモリカード１６を備えている。
【００１１】
測光ＣＣＤセンサ１は、それぞれ赤（Ｒ）、緑（Ｇ）、青（Ｂ）の色成分の光に対応する受光部を有する受光素子を、例えば１２×８のマトリックス状に配列したものであって、撮影レンズ９が取得した被写体像光の色成分毎の輝度を検出し、ＲＧＢの色成分毎の測光データを出力するものである。
Ａ／Ｄ変換部２は、測光ＣＣＤセンサ１が出力するアナログの測光データをデジタル変換して露出制御値演算部３に出力するものである。
【００１２】
露出制御値演算部３は、Ａ／Ｄ変換部２から入力される測光信号と、情報管理部４から入力される測光色モードとに応じて露出制御値を演算するものである。露出制御値演算部３は、測光色モードに応じて設定された所定の混合割合に応じて、ＲＧＢ３色の色成分の測光データを混合することによって、輝度データであるブライトネス・バリュー（ＢＶ）を生成し、このＢＶに基づいて露出制御値を決定する。この処理については、後に詳しく説明する。
【００１３】
情報管理部４は、カメラの各機能を統括的に制御するＣＰＵを備えている。情報管理部４は、測光色モード設定部５から入力される測光色モード情報、測光モード設定部６から入力される測光モード情報、レリーズスイッチ７から入力されるレリーズ指示信号を露出制御値演算部３に伝達するとともに、露出制御値演算部３から入力される露出制御値を撮影制御部１０に伝達する。
また、情報管理部４は、画像記録部１５に対して各撮影画像データを撮影した際に適用されていた測光色モード情報を伝達し、また、画像処理部１４に対して画像処理に関する指示を出力する。これらの点については後に詳しく説明する。
【００１４】
測光色モード設定部５は、ＲＧＢの色成分毎の測光データの重み付けに関する情報である測光色モード情報を複数保持し、レンズ通信部８から情報管理部４を介して入力される撮影レンズ９の種類に関する情報に応じて、対応する測光色モード情報を情報管理部４に出力するものである。
【００１５】
測光モード設定部６は、例えば平均測光、スポット測光等の測光モードの設定をユーザが行う入力部を備え、設定された測光モードに対応する測光モード情報を情報管理部４に出力するものである。ここで、平均測光とは、撮像画角内の略全域の被写体光の輝度を測光してその平均値を用いるものをいい、スポット測光とは、被写体光のうち特定の小範囲の輝度を測光するものをいう。
レリーズスイッチ７は、カメラの外部に設けられ、ユーザがレリーズ操作を入力する操作部である。
レンズ通信部８は、撮影レンズ９が着脱可能に装着される図示しないマウント部に設けられた信号接点を介して撮影レンズ９と通信を行うものである。
【００１６】
撮影レンズ９は、カメラに対して着脱可能に装着され、絞り１１及び図示しない記憶部（ＲＯＭ）を備えていえる。この記憶部は、撮影レンズ９の焦点距離、開放絞り値を含む属性情報を蓄積し、また、撮影レンズ９が例えば赤外写真用レンズ、紫外線写真用レンズ等の特殊レンズである場合にはその情報も蓄積したものである。
また、カメラは、撮影レンズ９に代えて、例えば顕微鏡等の光学装置を、アダプタ（接続部材）を介して接続して使用される場合がある。この場合は、アダプタに上述したＲＯＭが設けられ、レンズ通信部８との通信を行う。
【００１７】
撮影制御部１０は、露出制御値演算部３から情報管理部４を介して入力される露出制御値に応じて絞り１１及びシャッタ１２を制御するものである。
絞り１１は、撮影レンズ９と同じ鏡胴内に配置され、複数の薄片を組み合わせて構成され像光が通過する開口の内径を連続的に変化させることが可能な虹彩絞りを備えている。
シャッタ１２は、撮像素子１３への露光時間を制御するものであって、例えば撮像素子１３の撮像面の直前に配置されたフォーカルプレーンシャッタである。
【００１８】
撮像素子１３は、例えばＣＣＤ、ＣＭＯＳ等の光−電気変換素子を備え、その撮像面上に撮影レンズ９が結像した被写体像を、電気的なデータに変換して出力するものである。
画像処理部１４は、撮像素子１３から転送された撮影画像信号に対して、ホワイトバランス処理、画素補間処理、輪郭強調等の画像処理を行い、撮影画像データを生成するものである。
ここで、画像処理部１４は、設定された測光色モードに応じて、自動的に異なった画像処理を行う機能を備えている。この点については後に詳しく説明する。
【００１９】
画像記録部１５は、画像処理部１４が出力した撮影画像データに、その画像を撮影した際に用いられた測光色モードに関する情報等を付加し、メモリカード１６に記録するものである。
メモリカード１６は、例えばフラッシュメモリを有し、画像記録部１５に備えられたスロットに着脱可能に装着される記録媒体である。
【００２０】
以下、上述した本実施例のカメラにおける露光時の動作について説明する。
図２は、本実施例のカメラにおける露光制御のメインルーチンを示すフローチャートである。以下、ステップ毎に順を追って説明する。
＜メインルーチン＞
（ステップＳ１０１：装着レンズ情報取得）
ユーザがレリーズスイッチ７に半押し操作を入力した後、レンズ通信部８は、撮影レンズ９のＲＯＭが保持する情報を取得し、装着レンズが例えば通常撮影用のレンズであるか、又は、顕微鏡アダプタであるかを識別し、識別結果を情報管理部４に出力する。情報管理部４は、この識別結果を露出制御値演算部３に転送する。
（ステップＳ１０２：測光モード設定読込）
測光モード設定部６は、設定された測光モードが例えば平均測光、スポット測光のいずれであるかを判別して情報管理部４に出力する。
【００２１】
（ステップＳ１０３：測光ＣＣＤ蓄積）
測光ＣＣＤセンサ１は、撮影レンズ９を通して入射する光を取り込んで蓄積し、入射光の明るさ（輝度）に応じた電気的な信号であるアナログ測光信号をＡ／Ｄ変換部２に出力する。このアナログ測光信号は、ＲＧＢの色成分毎にそれぞれ生成される。
（ステップＳ１０４：測光データ取込・Ａ／Ｄ変換）
Ａ／Ｄ変換部２は、測光ＣＣＤセンサ１から入力されたＲＧＢの色成分毎のアナログ測光信号を、それぞれデジタル変換してデジタル測光信号を生成し、これを露出制御値演算部３に転送する。
【００２２】
（ステップＳ１０５：顕微鏡アダプタ装着判断）
情報管理部４は、レンズ通信部８から入力されたレンズ種類の識別結果に基づいて、カメラに顕微鏡アダプタが装着されているか否かを判断し、顕微鏡アダプタが装着されている場合はステップＳ１０７に進む。一方、顕微鏡アダプタ以外の通常撮影用レンズ等が装着されている場合はステップＳ１０６に進む。
【００２３】
（ステップＳ１０６：通常撮影モードＢＶ算出）
露出制御値演算部３は、上述した色成分毎のデジタル測光信号に基づいて、通常撮影モードのブライトネス・バリュー（ＢＶ）を算出する。この通常撮影モードＢＶ算出に関するサブルーチンについては、後に詳しく説明する。
【００２４】
（ステップＳ１０７：顕微鏡撮影モードＢＶ算出）
露出制御値演算部３は、上述した色成分毎のデジタル測光信号に基づいて、顕微鏡撮影モードのＢＶを算出する。この顕微鏡撮影モードＢＶ算出に関するサブルーチンについては、後に詳しく説明する。
（ステップＳ１０８：測光モード変更）
露出制御値演算部３は、その測光モードを、測光モード設定部６の設定にかかわらず、平均測光に変更する。
【００２５】
（ステップＳ１０９：露出制御値算出）
露出制御値演算部３は、ステップＳ１０６又はステップＳ１０７において求めたＢＶを用い、かつステップＳ１０２又はステップＳ１０８において設定された測光モードによって、露出制御に用いる露出制御値を算出して情報管理部４に入力する。
露出制御値は、例えば、露光時間（シャッタ開時間）及び撮影時絞り値（Ｆナンバー）に関する情報を含む。この露出制御値算出に関するサブルーチンについては、後に詳しく説明する。
【００２６】
（ステップＳ１１０：レリーズフラグセット判断）
情報管理部４は、レリーズスイッチ７から入力されるレリーズスイッチ全押し割込によってセットされるレリーズフラグをセットし、フラグがセットされていなければステップＳ１１５に進み、フラグがセットされていた場合には、ステップＳ１０９において算出された露出制御値に基づいて、ステップＳ１１１以下のレリーズ処理を行う。
【００２７】
（ステップＳ１１１：露光制御動作）
情報管理部４は、撮影制御部１０に対して露出制御値を含む制御信号を出力し、撮影制御部１０は、これを受けて絞り１１及びシャッタ１２を駆動する。これによって、撮像素子１３は被写体像光によって露光され、撮影画像信号を画像処理部１４に出力する。この露光制御動作に関するサブルーチンについては、後に詳しく説明する。
【００２８】
（ステップＳ１１２：画像処理）
画像処理部１４は、情報管理部４から入力される顕微鏡アダプタの装着有無に基づいて、通常撮影用レンズが装着されている場合、顕微鏡アダプタが装着されている場合のそれぞれについて最適化された異なった画像処理を行う。この画像処理に関するサブルーチンについては、後に詳しく説明する。
【００２９】
（ステップＳ１１３：画像記録処理）
画像処理部１４は、画像処理後の撮影画像データを画像記録部１５に出力する。画像記録部１５は、入力された撮影画像データをメモリカード１６に記録する。この画像記録処理に関するサブルーチンについては、後に詳しく説明する。
【００３０】
（ステップＳ１１４：レリーズフラグクリア）
情報管理部４は、次回のレリーズに備えてレリーズフラグをクリアし、ステップＳ１１５に進む。
【００３１】
（ステップＳ１１５：タイマ切れ判断）
情報管理部４は、レリーズスイッチ７の半押し開始から所定の時間にわたって露光制御を機能させるタイマが、予め設定された時間に達したか（タイマ切れか）否かを判断し、タイマ切れである場合は一連の処理を終了し、タイマ切れでない場合は、再びステップＳ１０１に戻り、以後の処理を繰返す。
【００３２】
＜通常撮影モードＢＶ算出サブルーチン＞
図３は、上述したメインルーチンのステップＳ１０６において行われる通常撮影モードＢＶ算出のサブルーチンを示すフローチャートである。以下、ステップ毎に順を追って説明する。
（ステップＳ１２１：ｉ，ｊ初期化）
露出制御値演算部３は、測光ＣＣＤセンサ上における受光素子の縦、横の位置を示す座標カウンタ値ｉ，ｊをともに０とする。
（ステップＳ１２２：ＲＧＢ混合・ＢＶ算出）
露出制御値演算部３は、以下示す式１に従ってＲＧＢの色成分毎のデジタル測光データを合成して各画素におけるＢＶを算出し、これを全受光素子にわたって逐次算出する。ここで、ＲＧＢを合成する際の重みは、通常撮影モードにおいては、Ｇ（緑）が最も大きくされている。
ＢＶ［ｉ］［ｊ］
＝０．３５×Ｒ［ｉ］［ｊ］＋０．５×Ｇ［ｉ］［ｊ］＋０．１５×Ｂ［ｉ］［ｊ］
・・・（式１）
ここで
Ｒ：赤色成分のデジタル測光データ強度
Ｇ：緑色成分のデジタル測光データ強度
Ｂ：青色成分のデジタル測光データ強度
【００３３】
（ステップＳ１２３：ｊインクリメント（増加））
露出制御値演算部３は、従前のｊに１を加算しｊ＋１とする。
（ステップＳ１２４：ｊ最大値判断）
露出制御値演算部３は、現在のｊがｊ＜８である場合は、ステップＳ１２２に戻って以後の処理を繰り返し、ｊ＝８である場合はステップＳ１２５に進む。
（ステップＳ１２５：ｊ初期化）
露出制御値演算部３は、ｊを０に初期化する。
（ステップＳ１２６：ｉインクリメント）
露出制御値演算部３は、従前のｉに１を加算しｉ＋１とする。
（ステップＳ１２７：ｉ最大値判断）
露出制御値演算部３は、現在のｉがｉ＜１２である場合は、ステップＳ１２２に戻ってそれ以降の処理を繰り返し、ｉ＝１２である場合は通常撮影モードＢＶ算出処理を終了する。
【００３４】
＜顕微鏡撮影モードＢＶ算出サブルーチン＞
図４は、上述したメインルーチンのステップＳ１０７において行われる顕微鏡撮影モードＢＶ算出のサブルーチンを示すフローチャートである。図４に示すステップＳ１３１乃至ステップＳ１３７は、ステップＳ１３２におけるＲＧＢ合成時の重み付け以外は、上述したステップＳ１２１乃至ステップＳ１２７と実質的に同一である。
ここで、ステップＳ１３２においては、以下示す式２に従って各画素におけるＢＶを算出して顕微鏡撮影モードＢＶ算出処理を終了する。
式２に示すように、顕微鏡撮影モードにおいては、観察対象物に通常赤系又は青系の着色を施すことが多いことを考慮して、Ｒ、Ｂの各色成分の重みを通常撮影モードに対して大きくしている。
ＢＶ［ｉ］［ｊ］
＝０．５５×Ｒ［ｉ］［ｊ］＋０．０５×Ｇ［ｉ］［ｊ］＋０．４×Ｂ［ｉ］［ｊ］
・・・（式２）
【００３５】
＜測光モード変更サブルーチン＞
図５は、上述したメインルーチンのステップＳ１０８において行われる測光モード変更のサブルーチンを示すフローチャートである。以下、ステップ毎に順を追って説明する。
（ステップＳ１４１：測光モード判断）
露出制御値演算部３は、測光モード設定部６によって設定された測光モードがスポット測光であるか否かを判断し、スポット測光である場合はステップＳ１４２に進み、スポット測光でない場合（平均測光の場合）は処理を終了する。
（ステップＳ１４２：測光モード変更）
露出制御値演算部３は、露出制御値の演算に用いられる露出モードを、スポット測光から平均測光に変更し、測光モード変更処理を終了する。
【００３６】
＜露出制御値算出サブルーチン＞
図６は、上述したメインルーチンのステップＳ１０９において行われる露出制御値算出のサブルーチンを示すフローチャートである。以下、ステップごとに順を追って説明する。
（ステップＳ１５１：測光モード判断）
露出制御値演算部３は、現在設定されている測光モードが平均測光であるか否かを判断し、平均測光である場合はステップＳ１５２に進み、それ以降の平均測光演算を行う。一方、スポット測光である場合は、ステップＳ１６０に進み、それ以降のスポット測光演算を行う。
（ステップＳ１５２：ｉ，ｊ初期化）
露出制御値演算部３は、パラメータｉ，ｊをともに０とする。
（ステップＳ１５３：合計ＢＶ算出）
露出制御値演算部３は、測光対象領域に含まれるＢＶの合算を式３に従って行う。
ｓｕｍ＝ＢＶ［ｉ］［ｊ］・・・（式３）
【００３７】
（ステップＳ１５４：ｊインクリメント）
露出制御値演算部３は、従前のｊに１を加算しｊ＋１とする。
（ステップＳ１５５：ｊ最大値判断）
露出制御値演算部３は、現在のｊがｊ＜８である場合は、ステップＳ１５３に戻ってそれ以降の処理を繰り返し、ｊ＝８である場合はステップＳ１５６に進む。
【００３８】
（ステップＳ１５６：ｊ初期化）
露出制御値演算部３は、ｊを０に初期化する。
（ステップＳ１５７：ｉインクリメント）
露出制御値演算部３は、従前のｉに１を加算しｉ＋１とする。
（ステップＳ１５８：ｉ最大値判断）
露出制御値演算部３は、現在のｉがｉ＜１２である場合は、ステップＳ１５３に戻ってそれ以降の処理を繰り返し、ｉ＝１２である場合はステップＳ１５９に進む。
【００３９】
（ステップＳ１５９：平均ＢＶ算出）
露出制御値演算部３は、以下の式４に従って、測光対象領域内における平均ＢＶ（ａｖｅ）を算出する。
ａｖｅ＝ｓｕｍ／９６・・・（式４）
【００４０】
（ステップＳ１６０：ｉ，ｊ初期化）
露出制御値演算部３は、座標カウンタ値ｉ，ｊを、ｉ＝５，ｊ＝３とする。
（ステップＳ１６１合計ＢＶ算出）
露出制御値演算部３は、測光対象領域に含まれるＢＶの合算を式５に従って行う。
ｓｕｍ＝ＢＶ［ｉ］［ｊ］・・・（式５）
【００４１】
（ステップＳ１６２：ｊインクリメント）
露出制御値演算部３は、従前のｊに１を加算しｊ＋１とする。
（ステップＳ１６３：ｊ最大値判断）
露出制御値演算部３は、現在のｊがｊ＜５である場合は、ステップＳ１６１に戻ってそれ以降の処理を繰り返し、ｊ＝５である場合はステップＳ１６４に進む。
【００４２】
（ステップＳ１６４：ｊ初期化）
露出制御値演算部３は、ｊを３に初期化する。
（ステップＳ１６５：ｉインクリメント）
露出制御値演算部３は、従前のｉに１を加算しｉ＋１とする。
（ステップＳ１６６：ｉ最大値判断）
露出制御演算部３は、現在のｉがｉ＜７である場合は、ステップＳ１６１に戻ってそれ以降の処理を繰り返し、ｉ＝７である場合はステップＳ１６７に進む。
【００４３】
（ステップＳ１６７：平均ＢＶ算出）
露出制御値演算部３は、以下の式６に従って、測光対象領域内における平均ＢＶ（ａｖｅ）を算出する。
ａｖｅ＝ｓｕｍ／４・・・（式６）
【００４４】
（ステップＳ１６８：露出制御値算出）
露出制御値演算部３は、ステップＳ１５９（平均測光の場合）又はステップＳ１６７（スポット測光の場合）において求めた平均ＢＶ（Ａｖｅ）を対数圧縮し、所定の補正を施すことによって、式７に示す露出制御値ＢｖＣｔｌを算出し、露出制御値算出処理を終了する。
ＢｖＣｔｌ＝ｌｏｇ２（Ａｖｅ）＋Ｏｆｓ・・・（式７）
ここで、Ｏｆｓは所定の補正値である。
【００４５】
＜露出制御動作サブルーチン＞
図７は、上述したメインルーチンのステップＳ１１１において行われる露出制御動作のサブルーチンを示すフローチャートである。以下、ステップ毎に順を追って説明する。
（ステップＳ１７１：絞り駆動）
撮影制御部１０は、絞り１１に制御信号を出力して、露出制御値に基づいて設定された撮影時絞り値まで絞り１１を絞り込む駆動を行う。
（ステップＳ１７２：撮像素子蓄積開始）
撮影制御部１０は、撮像素子１３に制御信号を出力してデータの蓄積を開始させる。
【００４６】
（ステップS１７３：シャッタ開）
撮影制御部１０は、シャッタ１２に制御信号を出力してこれを開き、撮像素子１３への露光が開始される。
（ステップＳ１７４：露光時間経過判断）
撮影制御部１０は、シャッタ１２を開いてからの経過時間が予め設定した露光時間に達したか否かを判断し、露光時間が未だ経過していない場合はステップＳ１７４を繰り返し、露光時間が経過した場合はステップＳ１７５に進む。
【００４７】
（ステップＳ１７５：シャッタ閉）
撮影制御部１０は、シャッタ１２に制御信号を出力してこれを閉じ、撮像素子１３への露光を終了する。
（ステップＳ１７６：撮像素子蓄積終了）
撮影制御部１０は、撮像素子１３に制御信号を出力してデータの蓄積を終了する。
（ステップＳ１７７：絞り初期化）
撮影制御部１０は、絞り１１に制御信号を出力し、開放絞り値に復帰させる。
（ステップＳ１７８：撮影画像信号取込）
撮像素子１３は、蓄積された撮影画像信号を画素毎に読み出して画像処理部１４に出力する。
（ステップＳ１７９：シャッタ初期化）
撮影制御部１０は、シャッタ１２に制御信号を出力し、シャッタ１２を再チャージして初期化し、露出制御動作処理を終了する。
【００４８】
＜画像処理サブルーチン＞
図８は、上述したメインルーチンのステップＳ１１２において行われる画像処理のサブルーチンを示すフローチャートである。以下、ステップ毎に順を追って説明する。
（ステップＳ１８１：前処理）
画像処理部１４は、撮像素子１３から入力された撮影画像信号に基づいて、画素補間、ノイズリダクション等のホワイトバランス調整前に行われる画像処理を行う。
（ステップＳ１８２：顕微鏡アダプタ装着判断）
画像処理部１４は、情報管理部４を介してレンズ通信部８から入力される情報に基づいて、カメラに顕微鏡アダプタが装着されているか否か判断し、顕微鏡アダプタが装着されていない場合はステップＳ１８３に進み、顕微鏡アダプタが装着されている場合はステップＳ１８４に進む。
【００４９】
（ステップＳ１８３：通常撮影モードホワイトバランス調整）
画像処理部１４は、撮影画像情報に対して通常撮影モードにおいて画像に多く含まれる色成分を想定して最適化されたホワイトバランス処理を行う。
（ステップＳ１８４：顕微鏡撮影モードホワイトバランス調整）
画像処理部１４は、撮影画像情報に対して顕微鏡撮影モードにおいて画像に多く含まれる色成分を想定して最適化されたホワイトバランス処理を行う。
（ステップＳ１８５：後処理）
画像処理部１４は、ホワイトバランス調整済の撮影画像情報に対して、ガンマ調整等の後処理を行って保存対象のデータファイルである撮影画像データを生成し、画像処理を終了する。
【００５０】
＜画像記録処理サブルーチン＞
図９は、上述したメインルーチンのステップＳ１１３において行われる画像記録処理のサブルーチンを示すフローチャートである。以下、ステップ毎に順を追って説明する。
（ステップＳ１９１：顕微鏡アダプタ装着判断）
画像記録部１５は、情報管理部４を介してレンズ通信部８から入力される情報に基づいて、カメラに顕微鏡アダプタが装着されているか否か判断し、顕微鏡アダプタが装着されていない場合はステップＳ１９２に進み、顕微鏡アダプタが装着されている場合はステップＳ１９３に進む。
【００５１】
（ステップＳ１９２：通常撮影モード情報付加）
画像記録部１５は、画像処理部１４から入力された撮影画像データに対して通常撮影モード情報を付加する。
（ステップＳ１９３：顕微鏡撮影モード情報付加）
画像記録部１５は、画像処理部１４から入力された撮影画像データに対して顕微鏡撮影モード情報を付加する。
ここで、通常撮影モード情報及び顕微鏡撮影モード情報には、それぞれその画像の撮像時、画像処理時に用いられた測光色モード、測光モード、ホワイトバランス等の画像処理パラメータに関する情報が含まれている。
（ステップＳ１９４：カード書込）
画像記録部１５は、通常撮影モード情報又は顕微鏡撮影モード情報が付加された撮影画像データを、メモリカード１６に書き込んで画像記録処理を終了する。
【００５２】
以上のように、本実施例によれば、以下の効果を奏することができる。
（１）レンズ通信部８が顕微鏡アダプタの装着を検出した場合に、顕微鏡試料によく用いられる色である赤及び青の色成分の測光データ重みを増して露出制御値を生成しているから、緑の色成分の重みが大きい通常の露出制御では適正露出が得られない場合であっても良好な露出制御を行うことができ、また、このような色成分毎の測光データの重み付けの変更を、顕微鏡アダプタの検出に応じて自動的に行うから、その操作が簡単である。
（２）測光色モードに関する情報を撮影画像データに付加した状態でメモリカード１６に書き込んでいるから、ユーザが画像の撮影時の情報を容易に参照することができ便利である。
（３）顕微鏡アダプタが装着された場合に、上述した色成分毎の測光データの重み付け変更と同時に、ホワイトバランス調整の画像処理も異ならせているから、自動的に顕微鏡撮影に適した画像を得ることができる。
（４）複数の色成分毎に分けて測光を行うカメラであれば、新たなハードウェアを付加する必要がなく、ソフトウェアでの処理によって適用することができるから、カメラのサイズ、重量、コスト等に与える影響が小さい。
【００５３】
（変形例）
本発明は、以上説明した各実施例に限定されることなく、種々の変形や変更が可能であって、それらも本発明の均等の範囲内である。
（１）実施例は、顕微鏡アダプタの装着を検出した場合に色成分毎の測光データの重み付けを通常撮影用レンズの場合と変化させているが、これに限らず、他の種類のレンズが装着された場合にこの重み付けを変化させるようにしてもよい。
例えば、紫外線写真、赤外線写真の撮影用レンズや、天体望遠鏡装着用アダプタが装着された場合には、複数の色成分毎の測光データをそれぞれ紫外線撮影、赤外線撮影、天体撮影に適合した重み付けで処理して露出制御値を求めるようにしてもよい。
また、例えば接写撮影用のマクロレンズ、超望遠レンズ等の装着レンズの特性に応じて測光データの重み付けを異ならせるようにしてもよい。また、重み付けの変化のさせ方は、ユーザがそのレンズを用いて撮影する主要な被写体の色に応じて任意に設定できるようにしてもよい。例えば、航空写真を撮影するユーザであれば、超望遠レンズが装着された場合に空の色である青色を重視した測光を行うようにしてもよい。
【００５４】
（２）実施例は、付属品として撮影用光学系又はこれとカメラとの間に挿入されるアダプタ等の接続部材を用いているが、これに限らず、他の付属品の装着に応じて色成分の重み付けを変化させてもよい。例えば、スピードライト等の発光装置が装着された場合に、その発光色温度等を考慮した色成分の重み付けを行うようにしてもよい。また、例えば水中撮影用のハウジングが装着された場合に、水中撮影に適合させた色成分の重み付けを行うようにしてもよい。
（３）実施例は、複数の色成分毎の測光データの重み付けを変更する際に、併せてホワイトバランスの調整処理を変更しているが、これに限らず、例えば輪郭強調、コントラスト、ノイズリダクション、階調補正、カラーモード等の他の画像処理を異ならせてもよい。
（４）実施例は、デジタルスチルカメラに関するものであったが、本発明はこれに限らず、フィルムカメラやムービーカメラにも適用することができる。
【図面の簡単な説明】
【００５５】
【図１】本発明を適用したカメラの実施例における構成を示すブロック図である。
【図２】図１のカメラにおける露光制御のメインルーチンを示すフローチャートである。
【図３】図１の露光制御における通常撮影モードＢＶ算出のサブルーチンを示すフローチャートである。
【図４】図１の露光制御における顕微鏡撮影モードＢＶ算出のサブルーチンを示すフローチャートである。
【図５】図１の露光制御における測光モード変更のサブルーチンを示すフローチャートである。
【図６】図１の露光制御における露出制御値算出のサブルーチンを示すフローチャートである。
【図７】図１の露光制御における露出制御動作のサブルーチンを示すフローチャートである。
【図８】図１の露光制御における画像処理のサブルーチンを示すフローチャートである。
【図９】図１の露光制御における画像記録処理のサブルーチンを示すフローチャートである。
【符号の説明】
【００５６】
１  測光ＣＣＤセンサ；  ３  露出制御値演算部；  ４  情報管理部；  ５  測光色モード設定部；  ８  レンズ通信部；  ９  撮影レンズ；  １４  画像処理部；  １５  画像記録部
【図１】
2007017573.tif 000003
【図２】
2007017573.tif 000004
【図３】
2007017573.tif 000005
【図４】
2007017573.tif 000006
【図５】
2007017573.tif 000007
【図６】
2007017573.tif 000008
【図７】
2007017573.tif 000009
【図８】
2007017573.tif 000010
【図９】
2007017573.tif 000011